(57)【要約】【課題】コンクリート基礎に埋設したアンカー鉄筋にＡＬＣパネル取付用の下地鋼材を固定する際に、上向き溶接を不要とし、作業性を向上すると共に、溶接強度の信頼性を向上する事ができ、高さレベルの調整が可能且つ低コストとしたパネル取付構造を提供する。【解決手段】本発明の下地鋼材固定金具は、コンクリート基礎に埋設されてその上端から突出しているアンカー鉄筋に対し、下地鋼材を設置固定する為に必要な固定金具であって、アンカー鉄筋と直交する水平な基部と、基部の中心付近に形成されたアンカー鉄筋が挿入される長孔と、長孔周囲に沿ってアンカー鉄筋と平行で溶接が可能な垂下部と、基部の幅方向両端から直立した起立部と、起立部をそれぞれ水平方向に折り曲げ形成されて下地鋼材が溶接される水平部とを一体形成した鋼材からなる。【選択図】  図９
2005200984.tif 000002
【特許請求の範囲】
【請求項１】
コンクリート基礎に埋設されてその上端から突出しているアンカー鉄筋に対し、ＡＬＣパネル取付用の下地鋼材を設置固定する為に必要な固定金具であって、前記アンカー鉄筋と直交する水平な基部と、該基部の中心付近に形成された前記アンカー鉄筋が挿入される長孔と、該長孔周囲に沿って前記アンカー鉄筋と平行で溶接が可能な垂下部と、前記基部の幅方向両端から直立した起立部と、該起立部をそれぞれ水平方向に折り曲げ形成されて前記下地鋼材が溶接される水平部とを一体形成した鋼材からなることを特徴とするＡＬＣパネル取付用下地鋼材の固定金具。
【請求項２】
請求項１記載の固定金具を使用した、コンクリート基礎、下地鋼材およびＡＬＣパネルを取付けるパネルの取付構造であって、前記コンクリート基礎に埋設されてその上端から突き出しているアンカー鉄筋が前記コンクリート基礎の上端長手方向に設置された固定金具の基部中央付近の長孔に沿った垂下部に平行に挿入され、垂下部とアンカー鉄筋が溶接固定され、固定金具の水平部より突出しているアンカー鉄筋は切断され、且つこの固定金具の室内側水平部上にＡＬＣパネル取付用の下地鋼材を設置し溶接固定されており、この下地鋼材にＡＬＣパネルが取付けられていることを特徴とする取付構造。
【発明の詳細な説明】
【技術分野】
【０００１】
本発明は、コンクリート基礎に埋設されてその上端から突き出しているアンカー鉄筋に対し、ＡＬＣパネル取付用の下地鋼材を設置固定する為に必要な固定金具及びこの固定金具を使用したＡＬＣパネル取付け構造に関するものである。
【背景技術】
【０００２】
ＡＬＣパネル３からなる縦壁パネルの建物躯体のうちコンクリート基礎１に対する従来から行われている取付構造としては、図１、３および図２に示されているものがある。
【０００３】
図２に示すものでは、コンクリート基礎に埋設されてその上端から突出しているアンカー鉄筋２に対し、ＡＬＣパネル３を取付けるための定規アングル４を使用しており、この定規アングル４は、コンクリート基礎１の上端長手方向に載置して曲折させたアンカー鉄筋と溶接固定すると共に、ＡＬＣパネル３を専用取付金物５を介してボルト６により固定することによりパネル取付構造を構成している。
【０００４】
また、図１、３の従来例ではコンクリート基礎に埋設したアンカー金物７とＡＬＣパネル３を取付けるための定規アングル４とを、レベル調整用のピースアングル８を介して溶接固定すると共に、ＡＬＣパネル３を専用取付金物５を介してボルト６により固定することによりパネル取付構造を構成している。
【０００５】
また、特開２００３−２１３７９３号公報には、固定金具及びそれを使用した取付構造においては、図１４のように固定金具９の凹部上面にコンクリート基礎から突出したアンカー鉄筋２を曲折し下向きで溶接固定し、凹部の両側にあり凹部上面より上方に段差を持った水平部上に定規アングル４を載置し溶接固定する取付構造が提案されている。
【特許文献１】特開２００３−２１３７９３号公報
【発明の開示】
【発明が解決しようとする課題】
【０００６】
しかしながら、図２に示す従来例ではアンカー鉄筋と定規アングルとを下側から上向き溶接にて固定しているため、作業性に劣るばかりか、溶接強度の信頼性が低く、更には高さレベルの調整が困難である。
【０００７】
しかしながら、図１、３に示す従来例では、図２に比べて、高い溶接強度の信頼性が得られ、高さレベルの調整も可能であると言う利点を有する反面、アンカー金物７をコンクリート基礎の打設時に埋設してから硬化させる必要がある事から工事負担が増加すること、および室内側にボード等の内装を行わない場合の美観が悪い事などの問題があった。
【０００８】
また、特開２００３−２１３７９３号公報に記載の取付構造では、高さレベルを調整する工程において、アンカー鉄筋２を所定の位置で精度良く曲折することは不可能であり、その場合曲折されたアンカー鉄筋と凹部上面間に隙間を生じるため、溶接強度の信頼性が低い。
【０００９】
本発明は、上述した従来技術における問題点の解決を課題として検討した結果達成されたものである。
【００１０】
すなわち、本発明の目的は、コンクリート基礎に埋設したアンカー鉄筋にＡＬＣパネル取付用の下地鋼材を固定する際に、作業性の劣る上向き溶接を不要とし、作業性を向上すると共に、溶接強度の信頼性を向上する事ができ、更には高さレベルの調整が可能且つ低コストとしたパネル取付構造を提供することにある。
【課題を解決するための手段】
【００１１】
上記の目的を達成する為に、本発明のＡＬＣパネル取付用の下地鋼材固定金具は、コンクリート基礎に埋設されてその上端から突出しているアンカー鉄筋に対し、ＡＬＣパネル取付用の下地鋼材を設置固定する為に必要な固定金具であって、前記アンカー鉄筋と直交する水平な基部と、該基部の中心付近に形成された前記アンカー鉄筋が挿入される長孔と、該長孔周囲に沿って前記アンカー鉄筋と平行で溶接が可能な垂下部と、前記基部の幅方向両端から直立した起立部と、該起立部をそれぞれ水平方向に折り曲げ形成されて前記下地鋼材が溶接される水平部とを一体形成した鋼材からなることを特徴とする。
【００１２】
また、本発明のＡＬＣパネル取付構造は、上記の固定金具を使用した、コンクリート基礎、下地鋼材およびＡＬＣパネルを取付けるパネルの取付構造であって、前記コンクリート基礎に埋設されてその上端から突き出しているアンカー鉄筋を前記コンクリート基礎の上端長手方向に設置された固定金具の基部中央付近の長孔に沿った垂下部に平行に挿入され、垂下部とアンカー鉄筋が溶接固定され、固定金具の水平部より突出しているアンカー鉄筋は切断され、且つこの固定金具の室内側水平部上にＡＬＣパネル取付用の下地鋼材を設置し溶接固定されており、この下地鋼材にＡＬＣパネルが取付けられていることを特徴とする。特に、高さレベルの調整が可能である。
【発明の効果】
【００１３】
本発明のＡＬＣパネル取付用の固定金具によれば、コンクリート基礎に埋設したアンカー鉄筋にＡＬＣパネル取付用の定規アングルを固定する際に、作業性の劣る上向き溶接を不要として下向き溶接が可能であり、作業性を向上すると共に、取付強度の信頼性を向上する事ができるだけでなく、確実な高さレベル調整も行う事ができる。また、本発明の取付構造とすることで低コスト化も実現できる。
【発明を実施するための最良の形態】
【００１４】
本発明のＡＬＣパネル取付用の下地鋼材固定金具は、コンクリート基礎に埋設されてその上端から突出しているアンカー鉄筋に対し、ＡＬＣパネル取付用の下地鋼材を設置固定する為に必要な固定金具であって、前記アンカー鉄筋と直交する水平な基部と、該基部の中心付近に形成された前記アンカー鉄筋が挿入される長孔と、該長孔周囲に沿って前記アンカー鉄筋と平行で溶接が可能な垂下部と、前記基部の幅方向両端から直立した起立部と、該起立部をそれぞれ水平方向に折り曲げ形成されて前記下地鋼材が溶接される水平部とを一体形成した鋼材からなる。
【００１５】
本発明のＡＬＣパネル取付構造は、上記の固定金具を使用した、コンクリート基礎、下地鋼材およびＡＬＣパネルを取付けるパネルの取付構造であって、前記コンクリート基礎に埋設されてその上端から突き出しているアンカー鉄筋を前記コンクリート基礎の上端長手方向に設置された固定金具の基部中央付近の長孔に沿った垂下部に平行に挿入され、垂下部とアンカー鉄筋が溶接固定され、固定金具の水平部より突出しているアンカー鉄筋は切断され、且つこの固定金具の室内側水平部上にＡＬＣパネル取付用の下地鋼材を設置し溶接固定されており、この下地鋼材にＡＬＣパネルが取付けられている。
【実施例】
【００１６】
以下に、図面を参照して、本発明の実施例を説明する。図９は本発明の固定金具の実施例を示す斜視図、図８は固定金具を使用してコンクリート基礎に対しＡＬＣパネルを取付組み立てたパネルの取付構造を示す斜視図、図１３は同じく縦断面図、図４〜７はコンクリート基礎に対する固定金具及び定規アングルの取付過程を示す斜視図である。
【００１７】
図９に示した実施例において、本発明のＡＬＣパネル取付用の定規アングル固定金具１０は、鋼材を断面略Ｕ字状に曲折成形してなり、コンクリート基礎１の長手方向に載置されてアンカー鉄筋２が挿入される長孔１１および溶接される長穴周囲に沿った垂下部１２を中心付近に有する基部１３とこの基部の幅方向両側から直立した起立部１５をそれぞれ水平方向に折り曲げ形成されて定規アングル４が溶接される水平部１４とからなる。
【００１８】
ここで、上記固定金具１０の基部１３に設けられた長孔１１はコンクリート基礎の長手方向と直交する向きに開いており、アンカー鉄筋２の位置に依存することなく固定金具１０を設置できる用にする為である。また、長穴１１の幅は前記アンカー鉄筋の直径程度である１２ｍｍとし、長さは５０ｍｍとした。また、垂下部の長さについては、長穴の長さと同様とした。
【００１９】
なお、固定金具１０における起立部１５の高さは、固定金具設置後にアンカー鉄筋を切断した際、幅両方向の水平部上端より突出しないことが望まれるため、切断性等を考慮して５ｍｍとした。
【００２０】
次に、図面を参照しながら、上記固定金具１０を使用した本発明のパネル取付構造の実施例について説明する。図５、１０において、コンクリート基礎１の上端から突出したアンカー鉄筋２を、前記固定金具１０の長穴１１に通し、高さレベルを合わせた後、上記固定金具の垂下部１２とアンカー鉄筋２を溶接にて固定する。次に、図６、１１のように上記固定金具の水平部１４上端より突出しているアンカー鉄筋２を、大型のニッパにて切断または溶接熱にて溶断する。
【００２１】
そして、図７、１２のようにコンクリート基礎１上にアンカー鉄筋２を介し取付けられた固定金具１０の水平部１４上にＡＬＣパネル取付用の定規アングル４を載置し、室内外への出入調整後、固定金具と定規アングルの交差部１５を下向き溶接により溶接固定する。更に、図８、１３のように定規アングル上には、タテ使いでＡＬＣパネルが載置されると共に、定規アングルの垂直部とＡＬＣパネルとが、専用金物５を介してボルト６により固定されている。
【図面の簡単な説明】
【００２２】
【図１】従来例１の断面図である。
【図２】従来例２の断面図である。
【図３】従来例１の斜視図である。
【図４】本発明のコンクリート基礎に固定金具、定規アングル、パネルを取り付ける工程の斜視図である。
【図５】本発明のコンクリート基礎に固定金具、定規アングル、パネルを取り付ける工程の斜視図である。
【図６】本発明のコンクリート基礎に固定金具、定規アングル、パネルを取り付ける工程の斜視図である。
【図７】本発明のコンクリート基礎に固定金具、定規アングル、パネルを取り付ける工程の斜視図である。
【図８】本発明のコンクリート基礎に固定金具、定規アングル、パネルを取り付ける工程の斜視図である。
【図９】本発明の固定金具を示す斜視図である。
【図１０】本発明のコンクリート基礎に固定金具、定規アングル、パネルを取り付ける工程の斜視図である。
【図１１】本発明のコンクリート基礎に固定金具、定規アングル、パネルを取り付ける工程の斜視図である。
【図１２】本発明のコンクリート基礎に固定金具、定規アングル、パネルを取り付ける工程の斜視図である。
【図１３】本発明の取付構造断面図である。
【図１４】特開２００３−２１３７９３号公報に示す取付構造を説明するための斜視図である。
【符号の説明】
【００２３】
１    コンクリート基礎
２    アンカー鉄筋
３    ＡＬＣパネル
４    定規アングル
５    専用取付金物
６    ボルト
１０  定規アングル固定金具
１１  長孔
１２  垂下部
１３  基部
１４  水平部
１５  起立部
【図１】
2005200984.tif 000003
【図２】
2005200984.tif 000004
【図３】
2005200984.tif 000005
【図４】
2005200984.tif 000006
【図５】
2005200984.tif 000007
【図６】
2005200984.tif 000008
【図７】
2005200984.tif 000009
【図８】
2005200984.tif 000010
【図９】
2005200984.tif 000011
【図１０】
2005200984.tif 000012
【図１１】
2005200984.tif 000013
【図１２】
2005200984.tif 000014
【図１３】
2005200984.tif 000015
【図１４】
2005200984.tif 000016